(57)【要約】【課題】トリムカバーをバックボードに取り付ける部分を外部から見えなくして外観を向上したシートを提供する。【解決手段】シート１は、シートパッド５と、シートパッド５の背面側に配置されたバックボード７と、シートパッド５の前面を覆うトリムカバー６と、トリムカバー６の縁部６ａに沿って取り付けられた端末部材８と、端末部材８をバックボード７の縁部７ｂに取り付けられて端末部材８が連結される連結部材９とを備えている。端末部材８が連結部材９と共にトリムカバー６によって外部から覆われた状態で、連結部材９に連結されることによって、トリムカバー６の縁部６ａがバックボード７の縁部７ｂに固定されている。【選択図】図７
2020203565.tif 000002
【特許請求の範囲】
【請求項１】
前面および背面を有するシートパッドと、
前記シートパッドの背面側に配置されたバックボードと、
前記シートパッドの前記前面を覆うトリムカバーと、
前記トリムカバーの縁部に沿って取り付けられた端末部材と、
前記バックボードの縁部に取り付けられて前記端末部材が連結される連結部材と
を備えており、
前記端末部材が前記連結部材と共に前記トリムカバーによって外部から覆われた状態で、前記連結部材に連結されることによって、前記トリムカバーの前記縁部が前記バックボードの前記縁部に固定されている、
ことを特徴とするシート。
【請求項２】
前記トリムカバーの前記縁部が前記端末部材と共に当該トリムカバーの内側に折り返されることによって、前記端末部材が前記トリムカバーによって外部から覆われ、かつ、前記トリムカバーのうち折返し部分より内側の領域によって前記連結部材が覆われた状態で、前記端末部材が前記連結部材に連結されている、
請求項１に記載のシート。
【請求項３】
前記トリムカバーの前記縁部は、少なくとも一部が曲線形状を有しており、
前記端末部材は、前記曲線形状に追従して変形可能な弾性を有する、
請求項１または２に記載のシート。
【請求項４】
前記連結部材は、前記バックボードの前記縁部に係合するボード側係合部を有し、
前記ボード側係合部は、前記バックボードの前記縁部の少なくとも一部を覆って当該縁部の形状を保持する構成を有する、
請求項１〜３のいずれか１項に記載のシート。
【請求項５】
前記バックボードの前記縁部は、当該バックボードの本体部との間に段差部が形成されるように配置され、
前記ボード側係合部は、前記バックボードの前記縁部と前記段差部とで形成されたコーナー部を覆って当該縁部の形状を保持するように構成されている、
請求項４に記載のシート。
【請求項６】
前記ボード側係合部は、前記バックボードの前記縁部を挿入して当該縁部を保持可能なボード挿入溝を有する、
請求項４または５に記載のシート。
【請求項７】
前記ボード側係合部は、前記ボード挿入溝に挿入された前記バックボードの前記縁部が当該ボード挿入溝から抜け出ることを防止する抜け止め部をさらに有する、
請求項６に記載のシート。
【請求項８】
前記バックボードの前記縁部は、前記ボード側係合部を挿入可能な開口を有しており、
前記ボード側係合部が前記開口に挿入された状態で、前記バックボードの前記縁部は、前記ボード挿入溝に挿入される、
請求項６または７に記載のシート。
【請求項９】
前記連結部材は、前記ボード側係合部における前記バックボードの前記縁部との係合および当該係合の解除が可能な弾性を有する合成樹脂で製造されている、
請求項４〜８のいずれか１項に記載のシート。
【請求項１０】
前記端末部材は、平板部を有しており、
前記連結部材は、前記平板部を挿入して前記端末部材を保持可能な端末挿入溝を有する、
請求項１〜９のいずれか１項に記載のシート。
【請求項１１】
前記平板部は、前記トリムカバーの前記縁部に取り付けられ、
前記端末挿入溝の入口は、前記トリムカバーの前記縁部が当該トリムカバーの内側に折り返された状態で前記平板部が前記端末挿入溝に挿入されることが可能な向きを向くように配置されている、
請求項１０に記載のシート。
【請求項１２】
前記端末部材は、前記平板部の縁に沿って設けられた柱状部をさらに有しており、
前記柱状部は、曲面で構成された周面を有し、
前記柱状部は、前記トリムカバーの前記縁部が折り返された部分の内側から当該縁部に当接して当該縁部の形状を保持する
請求項１１に記載のシート。
【請求項１３】
前記端末部材および前記連結部材は、互いに着脱可能な構成を有する、
請求項１〜３のいずれか１項に記載のシート。
【発明の詳細な説明】
【技術分野】
【０００１】
本発明は、トリムカバーがシート背面側のバックボードに固定されたシートに関する。
【背景技術】
【０００２】
従来、自動車用シートなどでは、特許文献１記載のシートのように、着座者の背中を支持するシートバックにおいて、シートパッドと、当該シートパッドの前面および側面を覆うトリムカバーと、シートパッドの背面を覆うバックボードとを備え、トリムカバーがバックボードに固定された構造が知られている。
【０００３】
特許文献１記載のシートでは、トリムカバーの縁部およびバックボードの縁部にファスナーが縫い付けられ、ファスナーによってこれらの縁部同士を連結している。
【先行技術文献】
【特許文献】
【０００４】
【特許文献１】欧州特許第２３９３６９０号公報
【発明の概要】
【発明が解決しようとする課題】
【０００５】
上記の特許文献１記載のシートでは、トリムカバーの縁部およびバックボードの縁部を連結するためにファスナーが用いられている。そのため、ファスナーを閉じてトリムカバーが組み付けられた状態では、シートの外側からファスナーが見えるので、シートの外観を向上することが難しい。また、トリムカバーの組付け時にトリムカバーの外部からファスナーを閉じる作業をする必要があるので、ファスナーを見えにくい位置に配置することも構造上難しい。
【０００６】
本発明は、上記の事情に鑑みてなされたものであって、トリムカバーをバックボードに取り付ける部分を外部から見えなくして外観を向上したシートを提供することを目的とする。
【課題を解決するための手段】
【０００７】
上記の課題を解決するために、本発明のシートは、前面および背面を有するシートパッドと、前記シートパッドの背面側に配置されたバックボードと、前記シートパッドの前記前面を覆うトリムカバーと、前記トリムカバーの縁部に沿って取り付けられた端末部材と、前記バックボードの縁部に取り付けられて前記端末部材が連結される連結部材とを備えており、前記端末部材が前記連結部材と共に前記トリムカバーによって外部から覆われた状態で、前記連結部材に連結されることによって、前記トリムカバーの前記縁部が前記バックボードの前記縁部に固定されている、ことを特徴とする。
【０００８】
かかる構成では、トリムカバーの縁部に沿って取り付けられた端末部材と、前記バックボードの縁部に取り付けられて前記端末部材が連結される連結部材とを備えている。端末部材が連結部材と共にトリムカバーによって外部から覆われた状態で、連結部材に連結されることによって、トリムカバーの縁部がバックボードの縁部に固定されている。このようにトリムカバーがバックボードに固定された状態では、トリムカバーをバックボードに取り付けるための取付部分である端末部材および連結部材が外部から見えなくなるので、シートの外観が向上する。
【０００９】
上記のシートにおいて、前記トリムカバーの前記縁部が前記端末部材と共に当該トリムカバーの内側に折り返されることによって、前記端末部材が前記トリムカバーによって外部から覆われ、かつ、前記トリムカバーのうち折返し部分より内側の領域によって前記連結部材が覆われた状態で、前記端末部材が前記連結部材に連結されているのが好ましい。
【００１０】
かかる構成では、トリムカバーの縁部が端末部材と共に当該トリムカバーの内側に折り返されることによって、端末部材がトリムカバーによって外部から覆われる。そして、トリムカバーのうち折返し部分より内側の領域によって連結部材が覆われた状態で、端末部材が連結部材に連結されている。このようにトリムカバーを折り返すことによって端末部材および連結部材が外部から見えなくなるので、容易かつ確実にシートの外観を向上することが可能である。
【００１１】
上記のシートにおいて、前記トリムカバーの前記縁部は、少なくとも一部が曲線形状を有しており、前記端末部材は、前記曲線形状に追従して変形可能な弾性を有するのが好ましい。
【００１２】
かかる構成では、トリムカバーの縁部が曲線形状を有する場合においても、端末部材を前記曲線形状に追従して変形させることにより、端末部材をトリムカバーの縁部に沿って容易に取り付けることが可能である。また、端末部材の取付後では、トリムカバーの縁部の曲線形状を端末部材によって保持することが可能であり、当該縁部におけるしわの発生を防ぐことが可能である。
【００１３】
上記のシートにおいて、前記連結部材は、前記バックボードの前記縁部に係合するボード側係合部を有し、前記ボード側係合部は、前記バックボードの前記縁部の少なくとも一部を覆って当該縁部の形状を保持する構成を有するのが好ましい。
【００１４】
かかる構成では、連結部材のボード側係合部をバックボードの縁部に係合して連結部材をバックボードの縁部に固定しておくことが可能である。したがって、トリムカバーの縁部に取り付けられた端末部材を、当該連結部材を介してバックボードの縁部に連結する作業を容易に行うことが可能であり、作業性が向上する。
【００１５】
しかも、上記の構成では、ボード側係合部は、バックボードの縁部の少なくとも一部を覆って当該縁部の形状を保持することが可能である。そのため、トリムカバーをバックボードに取り付けた状態ではトリムカバーに引張力が作用してもバックボードの縁部が変形するおそれが低減する。その結果、トリムカバーの組付けラインを美しく仕上げることが可能である。
【００１６】
上記のシートにおいて、前記バックボードの前記縁部は、当該バックボードの本体部との間に段差部が形成されるように配置され、前記ボード側係合部は、前記バックボードの前記縁部と前記段差部とで形成されたコーナー部を覆って当該縁部の形状を保持するように構成されているのが好ましい。
【００１７】
かかる構成では、バックボードの縁部が当該バックボードの本体部との間に段差部が形成された場合においても、ボード側係合部がバックボードの縁部と段差部とで形成されたコーナー部を覆って当該縁部の形状を保持することが可能である。その結果、バックボードの本体部と縁部との間に段差部があっても、バックボードの縁部が変形するおそれが低減するので、トリムカバーの組付けラインを美しく仕上げることが可能である。
【００１８】
上記のシートにおいて、前記ボード側係合部は、前記バックボードの前記縁部を挿入して当該縁部を保持可能なボード挿入溝を有するのが好ましい。
【００１９】
かかる構成では、バックボードの縁部を連結部材におけるボード側係合部のボード挿入溝に挿入して当該縁部を保持することが可能である。それによって連結部材をバックボードの縁部に容易に取り付けることが可能である。
【００２０】
上記のシートにおいて、前記ボード側係合部は、前記ボード挿入溝に挿入された前記バックボードの前記縁部が当該ボード挿入溝から抜け出ることを防止する抜け止め部をさらに有するのが好ましい。
【００２１】
かかる構成では、抜け止め部によって、前記ボード挿入溝に挿入された前記バックボードの前記縁部が当該ボード挿入溝から抜け出ることを防止することが可能である。
【００２２】
上記のシートにおいて、前記バックボードの前記縁部は、前記ボード側係合部を挿入可能な開口を有しており、前記ボード側係合部が前記開口に挿入された状態で、前記バックボードの前記縁部は、前記ボード挿入溝に挿入されるのが好ましい。
【００２３】
かかる構成では、連結部材におけるボード側係合部をバックボードの縁部の開口に挿入することにより、連結部材をバックボードの縁部の所定の位置に固定することが可能である。しかも、ボード側係合部が当該開口に挿入された状態で、バックボードの縁部がボード挿入溝に挿入されるので、連結部材がバックボードの縁部から脱落するおそれが低減する。
【００２４】
上記のシートにおいて、前記連結部材は、前記ボード側係合部における前記バックボードの前記縁部との係合および当該係合の解除が可能な弾性を有する合成樹脂で製造されているのが好ましい。
【００２５】
かかる構成では、ボード側係合部におけるバックボードの縁部との係合および当該係合の解除が連結部材を構成する合成樹脂の弾性で可能であるので、連結部材の構造が簡単であるとともに連結部材を用いたトリムカバーの組付け作業が容易になる。
【００２６】
上記のシートにおいて、前記端末部材は、平板部を有しており、前記連結部材は、前記平板部を挿入して前記端末部材を保持可能な端末挿入溝を有するのが好ましい。
【００２７】
かかる構成では、端末部材の平板部を連結部材の端末挿入溝に挿入することにより、連結部材は端末部材を保持することが可能であり、端末部材および連結部材を用いたトリムカバーの組付け作業が容易になる。
【００２８】
上記のシートにおいて、前記平板部は、前記トリムカバーの前記縁部に取り付けられ、前記端末挿入溝の入口は、前記トリムカバーの前記縁部が当該トリムカバーの内側に折り返された状態で前記平板部が前記端末挿入溝に挿入されることが可能な向きを向くように配置されているのが好ましい。
【００２９】
かかる構成では、トリムカバーの縁部が当該トリムカバーの内側に折り返された状態で端末部材の平板部が連結部材の端末挿入溝に挿入される。これにより、トリムカバーはその縁部が内側に折り返された状態で組み付けられ、それとともに端末部材の平板部がトリムカバーの縁部に取り付けられている部分が外部から見えなくなる。その結果、トリムカバーの組付けラインを美しく仕上げることが可能である。
【００３０】
上記のシートにおいて、前記端末部材は、前記平板部の縁に沿って設けられた柱状部をさらに有しており、前記柱状部は、曲面で構成された周面を有し、前記柱状部は、前記トリムカバーの前記縁部が折り返された部分の内側から当該縁部に当接して当該縁部の形状を保持するのが好ましい。
【００３１】
かかる構成では、端末部材の柱状部は、曲面で構成された周面を有し、柱状部はトリムカバーの縁部が折り返された部分の内側から当該縁部に当接して当該縁部の形状を保持する。これにより、トリムカバーの縁部の折り返された部分を曲面が構成するようにきれいな外観を維持しながら、トリムカバーの縁部をバックボードの縁部に隙間なく固定することが可能になる。
【００３２】
上記のシートにおいて、前記端末部材および前記連結部材は、互いに着脱可能な構成を有してもよい。
【００３３】
かかる構成では、端末部材を連結部材に着脱可能に連結することによってトリムカバーの縁部をバックボードの縁部に容易に固定することが可能である。しかも、端末部材および連結部材の連結を解除することによってトリムカバーを容易に取り外すことが可能であるので、トリムカバーの交換も容易になる。
【発明の効果】
【００３４】
本発明のシートによれば、トリムカバーをバックボードに取り付ける部分を外部から見えなくして外観を向上することができる。
【図面の簡単な説明】
【００３５】
【図１】本発明の実施形態に係るシートの全体構成を示す斜視図である。
【図２】図１のバックボードの縁部および開口、ならびに当該開口に取り付けられるクリップを示すバックボードの要部拡大斜視図である。
【図３】図１のトリムカバーの要部拡大斜視図である。
【図４】図３のトリムカバーに取り付けられる端末部材の正面図であって、（ａ）はトリムカバーに取付前の状態を示す図、（ｂ）はトリムカバーの縁部に沿って曲げられた状態で取り付けられた状態を示す図である。
【図５】図２のクリップの斜視図である。
【図６】図３のトリムカバーの縁部に図４の端末部材が縫い付けられた状態を示す断面説明図である。
【図７】図１のＶＩＩ−ＶＩＩ線断面図である。
【図８】図１のシートにおけるトリムカバーの組付け作業の工程を示す説明図であって、（ａ）はクリップをバックボードの縁部に取り付ける前の状態を示す図、（ｂ）は（ａ）のＡ−Ａ線断面図である。
【図９】図１のシートにおけるトリムカバーの組付け作業の工程を示す説明図であって、（ａ）はクリップをバックボードの縁部に取り付けた後の状態を示す図、（ｂ）は（ａ）のＡ−Ａ線断面図である。
【図１０】図１のシートにおけるトリムカバーの組付け作業の工程を示す説明図であって、トリムカバーの縁部を端末部材の柱状部に巻きかけ、端末部材をクリップの端末挿入溝に挿入する直前の状態を示す断面説明図である。
【図１１】図１のシートにおけるトリムカバーの組付け作業の工程を示す説明図であって、端末部材の平板部をクリップの端末挿入溝に挿入した後の状態を示す断面説明図である。
【図１２】本発明の変形例におけるクリップがバックボードの縁部全体を覆う構成を示す説明図である。
【図１３】図１２のクリップの斜視図である。
【図１４】図１２の変形例におけるトリムカバーの組付け作業の工程を示す説明図であって、クリップをバックボードの縁部に取り付ける前の状態を示す断面説明図である。
【図１５】図１２の変形例におけるトリムカバーの組付け作業の工程を示す説明図であって、クリップをバックボードの縁部に取り付けた後の状態を示す断面説明図である。
【図１６】図１２の変形例におけるトリムカバーの組付け作業の工程を示す説明図であって、端末部材の平板部をクリップの端末挿入溝に挿入した後の状態を示す断面説明図である。
【図１７】本発明の他の変形例における貫通孔が重なり合うように端末部材がトリムカバーに縫着されている状態を示す断面説明図である。
【図１８】図１７の貫通孔が形成された端末部材の正面図である。
【図１９】図１７のトリムカバーおよび端末部材に雌ホックがかしめられた状態を示す断面説明図である。
【図２０】図１９のトリムカバーの縁部を端末部材の柱状部に巻きかけ、トリムカバー側の雌ホックをバックボード側の雄ホックに係合する直前の状態を示す断面説明図である。
【図２１】図２０のトリムカバー側の雌ホックをバックボード側の雄ホックに係合した状態を示す断面説明図である。
【発明を実施するための形態】
【００３６】
以下、添付図面を参照しながら本発明の好ましい実施の一形態について詳述する。
【００３７】
本発明の一実施形態である自動車用のシート１は、図１に示されるように、車両の前後方向Ｘにおける前方Ｘ１を向くように配置されている。シート１は、着座者の臀部を支持するシートクッション２と、シートクッション２の後方Ｘ２側において起立した状態で設けられ、着座者の背中を支持するシートバック３と、シートバック３の上部に設けられ、着座者の頭部を支持するヘッドレスト４とを備えている。
【００３８】
図１に示されるシートバック３は、発泡樹脂などからなるシートパッド５と、シートパッド５の少なくとも前面５ａ（本実施形態では前面５ａおよび両側面および上面）を覆うトリムカバー６と、シートパッド５の背面５ｂ側に配置されたバックボード７とを備えている。
【００３９】
バックボード７は、図１〜２に示されるように、シートパッド５の背面５ｂ側に配置される板状の部材である。バックボード７は、合成樹脂などからなる軟質材料で形成されており、変形しやすく、とくに縁部７ｂは変形しやすい。
【００４０】
バックボード７は、具体的には、略矩形板状の本体部７ａと、当該本体部７ａの外周に沿ってループ状に形成された縁部７ｂと、当該バックボード７の本体部７ａとの間に形成された段差部７ｃ（図７参照）とを有している。
【００４１】
バックボード７の縁部７ｂは、図２および図７に示されるように、後述のクリップ９のボード側係合部９ａ（図５および図７参照）を挿入可能な矩形形状の開口７ｄを複数有している。複数の開口７ｄは、バックボード７の周縁に沿って互いに離間して並ぶように配置されている。
【００４２】
図３に示されるように、トリムカバー６は、皮革やビニールシートなどからなる可撓性を有するシート状の部材であり、シートパッド５の前面５ａおよび両側面および上面を覆うことが可能な立体的な袋の形状を有している。トリムカバー６の縁部６ａは、バックボード７の縁部７ｂの形状に対応するように、少なくとも一部が曲線形状を有している。
【００４３】
上記のシートバック３は、トリムカバー６の縁部６ａをバックボード７の縁部７ｂに固定するために、図４〜５に示されるように、端末部材８と、クリップ９とを備えている。端末部材８は、トリムカバー６の縁部６ａに取り付けられ、バックボード７の縁部７ｂに取り付けられたクリップ９に連結される。
【００４４】
端末部材８は、図４（ａ）、（ｂ）に示されるように、トリムカバー６の縁部６ａ（図３参照）に沿って取り付けられる帯状の部材である。
【００４５】
端末部材８は、トリムカバー６の縁部６ａの曲線形状に追従して変形可能な弾性を有する。端末部材８は、合成樹脂などの軟質の材料からなり、押出成形などによって製造されている。
【００４６】
端末部材８は、具体的には、複数の平板部８ａと、当該複数の平板部８ａのそれぞれの縁に沿って設けられ、縁同士を連結する柱状部８ｂとを有する。
【００４７】
各平板部８ａは、略台形形状を有している。これにより、端末部材８は、柱状部８ｂと反対側の縁において切れ込みが入ったギザギザ形状を有し、曲がりやすく構成しているため、当該端末部材８をバックボード７の外周の曲面に沿わせることが可能である（図４（ｂ）参照）。
【００４８】
各平板部８ａは、トリムカバー６の曲線形状の縁部６ａに沿って取り付けられている。具体的には、図６に示されるように、平板部８ａのうち柱状部８ｂに近い部分は、縫着部１０において、トリムカバー６の縁部６ａに縫い付けられて固定されている。
【００４９】
なお、本発明は、端末部材８をトリムカバー６の縁部６ａに取り付ける方法について縫着に限定するものではなく、他の取付方法、例えば、接着や熱溶着などを採用してもよい。
【００５０】
柱状部８ｂは、曲面で構成された周面、例えば、図６に示されるような球面を有している。
【００５１】
端末部材８を構成する平板部８ａおよび柱状部８ｂは、以下のような特性を有することが好ましい。端末部材８の平板部８ａは、好ましくは、ミシンでの縫製可能な厚さおよび柔らかさを有し、後述のクリップ９の端末挿入溝９ｆに係合するときに適度に曲がる程度の柔軟性を有するとともに、端末挿入溝９ｆに係合した後は端末挿入溝９ｆから抜けずに保持される程度の剛性を有する。一方、柱状部８ｂは、好ましくは、バックボード７の曲面に沿うように曲げることが可能な柔軟性を有し、クリップ９と係合した後には合わせ部（すなわち、トリムカバー６の縁部６ａにおけるバックボード７の縁部７ｂとの重合部分）の形状を出す機能を有する。また、平板部８ａが端末挿入溝９ｆから抜けずに保持されるように当該平板部８ａを保持できる程度の剛性を有する。平板部８ａおよびそれを含む端末部材８の全体は、例えば、ポリプロピレン等で構成される。
【００５２】
クリップ９は、図２、図５および図７に示されるように、本発明の連結部材の一例であって、バックボード７の縁部７ｂに取り付けられて端末部材８が連結されるように構成されている。具体的には、クリップ９は、バックボード７の縁部７ｂに係合するボード側係合部９ａと、端末部材８の平板部８ａに係合する端末側係合部９ｂとを有する。
【００５３】
図５および図７に示されるように、ボード側係合部９ａは、バックボード７の縁部７ｂの少なくとも一部を覆って当該縁部７ｂの形状を保持する保持部９ｄを有する。本実施形態の保持部９ｄは、Ｌ字状に曲がった形状を有しており、バックボード７の縁部７ｂと段差部７ｃとで形成されたコーナー部７ｅを覆って当該縁部７ｂの形状を保持することが可能である。保持部９ｄの根元側端部は、ベース部９ｈにつながっている。
【００５４】
図７に示されるように、ベース部９ｈは、バックボード７の縁部７ｂの開口７ｄの内部に挿入される。その状態では、Ｌ字状の保持部９ｄは、バックボード７のコーナー部７ｅを覆うとともに後述の抜け止め部９ｅを介して当該コーナー部７ｅに当接する。
【００５５】
ボード側係合部９ａでは、上記のＬ字状の保持部９ｄおよびベース部９ｈならびに仕切り板９ｉによって、ボード挿入溝９ｃが形成されている。ボード挿入溝９ｃは、バックボード７の縁部７ｂを挿入して当該縁部７ｂを保持することが可能な寸法で形成されている。
【００５６】
ボード側係合部９ａは、ボード挿入溝９ｃに挿入されたバックボード７の縁部７ｂが当該ボード挿入溝９ｃから抜け出ることを防止する抜け止め部９ｅを有する。抜け止め部９ｅは、保持部９ｄの端部におけるボード挿入溝９ｃの入口の縁に形成されている。
【００５７】
端末側係合部９ｂは、端末部材８の平板部８ａを挿入して端末部材８を保持可能な端末挿入溝９ｆを有する。端末挿入溝９ｆの入口９ｇは、図７に示されるように、トリムカバー６の縁部６ａが端末部材８の柱状部８ｂに巻き付けられるようにして当該トリムカバー６の内側に折り返された状態で平板部８ａが端末挿入溝９ｆに挿入されることが可能な向きを向くように配置されている。
【００５８】
クリップ９は、合成樹脂などによって一体成形によって製造される。合成樹脂は、ボード側係合部９ａにおける前記バックボード７の縁部７ｂとの係合および当該係合の解除が可能な弾性を有していればよい。具体的には、クリップ９は、ミシンで縫製可能な程度の硬さであって、複数のクリップ９が連なった状態で成形された後に当該複数のクリップ９をロール状にして保管や輸送が可能な柔軟性を有する。互いにつながっている複数のクリップ９は、使用時には１個ずつ分離して用いられる。クリップ９は、例えば、加工性が高く、強度を有するポリプロピレン等で構成される。
【００５９】
上記のように構成されたシート１では、以下のようにして、トリムカバー６の縁部６ａをバックボード７の縁部７ｂに固定してトリムカバー６の組付け作業を行う。
【００６０】
まず、トリムカバー６の組付け作業を行う前の準備段階として、図６に示されるように、端末部材８の複数の平板部８ａをトリムカバー６の縁部６ａに縫い付けておく。具体的には、各平板部８ａのうち柱状部８ｂに近い部分を縫着部１０によってトリムカバー６の縁部６ａに縫着する。
【００６１】
トリムカバー６の組付け作業の最初の段階として、図８〜９に示されるように、クリップ９をシートパッド５の背面側に設置されたバックボード７の縁部７ｂに形成された複数の開口７ｄのそれぞれに取り付ける。具体的には、クリップ９のボード側係合部９ａのＬ字状の保持部９ｄおよびベース部９ｈをバックボード７の縁部７ｂの開口７ｄに挿入する。それとともに、Ｌ字状の保持部９ｄをバックボード７のコーナー部７ｅの外側にかぶせるとともに抜け止め部９ｅを介して当該コーナー部７ｅに当接させる。このようにボード側係合部９ａ（とくにベース部９ｈ）が開口７ｄに挿入された状態では、バックボード７の縁部７ｂは、ボード挿入溝９ｃに挿入される。
【００６２】
図９（ａ）、（ｂ）に示されるクリップ９をバックボード７の縁部７ｂに取り付けた状態では、クリップ９の端末挿入溝９ｆの入口９ｇは、バックボード７の段差部７ｃに対向した位置に配置される。入口９ｇと段差部７ｃとの間には、端末部材８を入口９ｇに挿入可能な隙間が確保されている。
【００６３】
その後、トリムカバー６を図１のようにシートパッド５の前面５ａ、両側面および上面にかぶせる。
【００６４】
ついで、図１０に示されるように、トリムカバー６の縁部６ａを端末部材８の柱状部８ｂに巻き付けるようにして内側（外部から見えない側）に折り返しながら、トリムカバー６を端末部材８の球状の曲面を有する柱状部８ｂに巻きかける。
【００６５】
その後、図１１に示されるように、トリムカバー６の縁部６ａが当該トリムカバー６の内側に折り返された状態（折返し部分６ｂ参照）で、端末部材８の平板部８ａをクリップ９の端末挿入溝９ｆの入口９ｇから当該端末挿入溝９ｆに挿入する。このとき、端末部材８の柱状部８ｂは、トリムカバー６の縁部６ａが折り返された部分（折返し部分６ｂ）の内側から当該縁部６ａに当接して当該縁部６ａの形状を保持する。
【００６６】
トリムカバー６の縁部６ａが端末部材８とともに当該トリムカバー６の内側に折り返されることによって、端末部材８およびクリップ９とともに当該端末部材８の当該縁部６ａに対する取付部分である縫着部１０は、トリムカバー６によって外部から覆われる。
【００６７】
端末部材８およびクリップ９ならびに縫着部１０が当該トリムカバー６のうち折返し部分６ｂより内側の領域によって覆われた状態で、端末部材８がクリップ９に連結され、それによって、トリムカバー６の縁部６ａがバックボード７の縁部７ｂに固定される。これにより、トリムカバー６の組付け作業が完了する。
【００６８】
図１１に示されるように、トリムカバー６をバックボード７に取り付けた状態では、トリムカバー６の引張力Ｆ１によって軟質材料からなるバックボード７が引っ張られ、バックボード７のコーナー部７ｅが平らになろうとするが、クリップ９の保持部９ｄでバックボード７のコーナー部７ｅの外側を包み込むとともに内側を仕切り板９ｉで押さえることで、コーナー部７ｅが平らになる変形が抑制され、バックボード７の剛性アップ（形状維持）になる。これにより、バックボード７の変形によるトリムカバー６の端部の位置の蛇行を防ぐことが可能であり、トリムカバー６とバックボード７との境界部の見栄えを良好に保つことが可能である。
【００６９】
しかも、トリムカバー６が引っ張られたときに端末部材８がクリップ９の抜ける方向（回転方向）に回転力Ｆ２がかかった際に、クリップ９の抜け止め部９ｅがバックボード７の段差部７ｃに引っ掛かって抜け防止となる。このように、クリップ９をバックボード７の開口７ｄに差し込むことで、トリムカバー６を差し込んだ際にかかる横方向の引張力Ｆ１（すなわち、トリムカバー６の縁部６ａに連結された端末部材８がクリップ９から抜け出す方向の力）に対し、開口７ｄに差し込んだクリップ９が開口７ｄの縁に引っ掛かることで抜け防止となる。このとき、クリップ９のベース部９ｈが開口７ｄの内壁に当たって止まるため、バックボード７に対するクリップ９の位置を固定することが可能である。
【００７０】
（本実施形態の特徴）
（１）
本実施形態のシート１は、トリムカバー６の縁部６ａに沿って取り付けられた端末部材８と、連結部材として、バックボード７の縁部７ｂに取り付けられて端末部材８が連結されるクリップ９とを備えている。端末部材８がクリップ９と共にトリムカバー６によって外部から覆われた状態で、クリップ９に連結されることによって、トリムカバー６の縁部６ａがバックボード７の縁部７ｂに固定されている。このようにトリムカバー６がバックボード７に固定された状態では、トリムカバー６をバックボード７に取り付けるための取付部分である端末部材８およびクリップ９が外部から見えなくなるので、シート１の外観が向上する。
【００７１】
これにより、軟質のバックボード７の形状を維持し、トリムカバー６を外観よく組み付けることが可能になる。
【００７２】
また、本実施形態のシート１の構造では、トリムカバー６の縁部６ａに取り付けられた端末部材８をバックボード７の縁部７ｂに取り付けられたクリップ９に連結するだけでよく、トリムカバー６の縁部６ａをバックボード７の縁部７ｂに縫い付ける作業も不要になる。
【００７３】
（２）
とくに本実施形態では、トリムカバー６の縁部６ａが端末部材８と共に当該トリムカバー６の内側に折り返されることによって、端末部材８がトリムカバー６によって外部から覆われる。そして、トリムカバー６のうち折返し部分６ｂより内側の領域によってクリップ９が覆われた状態で、端末部材８がクリップ９に連結されている。このようにトリムカバー６を折り返すことによって端末部材８およびクリップ９が外部から見えなくなるので、容易かつ確実にシート１の外観を向上することが可能である。
【００７４】
なお、トリムカバー６の縁部６ａを当該トリムカバー６の内側に折り返さない場合でも、端末部材８がクリップ９と共にトリムカバー６によって外部から覆われた状態でトリムカバー６がバックボード７に固定されていれば、トリムカバー６をバックボード７に取り付けるための取付部分である端末部材８およびクリップ９が外部から見えなくなるので、シート１の外観が向上する。
【００７５】
（３）
本実施形態のシート１では、トリムカバー６の縁部６ａは、少なくとも一部がバックボード７の縁部７ｂの形状に沿うような曲線形状を有している。端末部材８は、曲線形状に追従して変形可能な弾性を有する。この構成では、トリムカバー６の縁部６ａが曲線形状を有する場合においても、図４（ｂ）に示されるように、端末部材８を曲線形状に追従して変形させることにより、端末部材８をトリムカバー６の縁部６ａに沿って容易に取り付けることが可能である。また、端末部材８の取付後では、トリムカバー６の縁部６ａの曲線形状を端末部材８によって保持することが可能であり、当該縁部６ａにおけるしわの発生を防ぐことが可能である。
【００７６】
（４）
本実施形態のシート１では、クリップ９は、バックボード７の縁部７ｂに係合するボード側係合部９ａを有する。この構成では、クリップ９のボード側係合部９ａをバックボード７の縁部７ｂに係合してクリップ９をバックボード７の縁部７ｂに固定しておくことが可能である。したがって、トリムカバー６の縁部６ａに取り付けられた端末部材８を、当該クリップ９を介してバックボード７の縁部７ｂに連結する作業を容易に行うことが可能であり、作業性が向上する。
【００７７】
（５）
しかも、本実施形態のシート１では、ボード側係合部９ａは、バックボード７の縁部７ｂの少なくとも一部を覆って当該縁部７ｂの形状を保持する構成である保持部９ｄを有する。この構成では、ボード側係合部９ａは、バックボード７の縁部７ｂの少なくとも一部を覆って当該縁部７ｂの形状を保持することが可能である。そのため、トリムカバー６をバックボード７に取り付けた状態ではトリムカバー６に引張力が作用してもバックボード７の縁部７ｂが変形するおそれが低減する。その結果、バックボード７が軟質材料で形成されていても、トリムカバー６の組付けラインを美しく仕上げることが可能である。
【００７８】
（６）
本実施形態のシート１では、バックボード７の縁部７ｂは、当該バックボード７の本体部７ａとの間に段差部７ｃが形成されるように配置されている。ボード側係合部９ａは、バックボード７の縁部７ｂと段差部７ｃとで形成されたコーナー部７ｅを覆って当該縁部７ｂの形状を保持するように構成されている。この構成では、バックボード７の縁部７ｂが当該バックボード７の本体部７ａとの間に段差部７ｃが形成された場合においても、ボード側係合部９ａがバックボード７の縁部７ｂと段差部７ｃとで形成されたコーナー部７ｅを覆って当該縁部７ｂの形状を保持することが可能である。その結果、バックボード７の本体部７ａと縁部との間に段差部７ｃがあっても、バックボード７の縁部７ｂが変形するおそれが低減するので、トリムカバー６の組付けラインを美しく仕上げることが可能である。
【００７９】
なお、段差部７ｃを有する場合に、本体部７ａと、クリップ９に端末部材８を保持させた際のトリムカバー６の位置とを合わせることで、トリムカバー６とバックボード７との境界部に段差ができないように構成して、外観を向上することが可能である。
【００８０】
（７）
本実施形態のシート１では、ボード側係合部９ａは、バックボード７の縁部７ｂを挿入して当該縁部７ｂを保持可能なボード挿入溝９ｃを有する。この構成では、バックボード７の縁部７ｂをクリップ９におけるボード側係合部９ａのボード挿入溝９ｃに挿入して当該縁部７ｂを保持することが可能である。それによってクリップ９をバックボード７の縁部７ｂに容易に取り付けることが可能である。
【００８１】
（８）
本実施形態のシート１では、ボード側係合部９ａは、ボード挿入溝９ｃに挿入されたバックボード７の縁部７ｂが当該ボード挿入溝９ｃから抜け出ることを防止する抜け止め部９ｅを有する。そのため、抜け止め部９ｅによって、ボード挿入溝９ｃに挿入されたバックボード７の縁部７ｂが当該ボード挿入溝９ｃから抜け出ることを防止することが可能である。
【００８２】
なお、図７に示される抜け止め部９ｅは、バックボード７の段差部７ｃの面に当接しているが、抜け止め部９ｅの係合力アップのために、段差部７ｃの面に突起または凹部などを設けて、クリップ９を抜けないようにする（いわゆる嵌め殺しにする）ようにしてもよい。
【００８３】
（９）
本実施形態のシート１では、バックボード７の縁部７ｂは、ボード側係合部９ａを挿入可能な開口７ｄを有している。ボード側係合部９ａが開口７ｄに挿入された状態で、バックボード７の縁部７ｂは、ボード挿入溝９ｃに挿入される。この構成では、クリップ９におけるボード側係合部９ａをバックボード７の縁部７ｂの開口７ｄに挿入することにより、クリップ９をバックボード７の縁部７ｂの所定の位置に固定することが可能である。しかも、ボード側係合部９ａが当該開口７ｄに挿入された状態で、バックボード７の縁部７ｂがボード挿入溝９ｃに挿入されるので、クリップ９がバックボード７の縁部７ｂから脱落するおそれが低減する。
【００８４】
また、クリップ９がバックボード７の縁部７ｂの開口７ｄから脱落することを防止するために、開口７ｄの近傍、例えば、ベース部９ｈの角部に脱落防止用の突起９ｊ(図１１参照)をさらに設けてもよい。
【００８５】
（１０）
本実施形態のシート１では、連結部材としてのクリップ９は、ボード側係合部９ａにおけるバックボード７の縁部７ｂとの係合および当該係合の解除が可能な弾性を有する合成樹脂で製造されている。この構成では、ボード側係合部９ａにおけるバックボード７の縁部７ｂとの係合および当該係合の解除がクリップ９を構成する合成樹脂の弾性で可能であるので、連結部材としてのクリップ９の構造が簡単であるとともに連結部材を用いたトリムカバー６の組付け作業が容易になる。また、本実施形態では、合成樹脂製のクリップ９をバックボード７の縁部７ｂに任意の配置および個数で設置することが可能である。
【００８６】
（１１）
本実施形態のシート１では、端末部材８は、平板部８ａを有している。クリップ９は、平板部８ａを挿入して端末部材８を保持可能な端末挿入溝９ｆを有する。この構成では、端末部材８の平板部８ａをクリップ９の端末挿入溝９ｆに挿入することにより、クリップ９は端末部材８を保持することが可能であり、端末部材８およびクリップ９を用いたトリムカバー６の組付け作業が容易になる。
【００８７】
（１２）
本実施形態のシート１では、平板部８ａは、トリムカバー６の縁部６ａに取り付けられている。端末挿入溝９ｆの入口９ｇは、トリムカバー６の縁部６ａが当該トリムカバー６の内側に折り返された状態で平板部８ａが端末挿入溝９ｆに挿入されることが可能な向きを向くように配置されている。
【００８８】
この構成では、トリムカバー６の縁部６ａが当該トリムカバー６の内側に折り返された状態で端末部材８の平板部８ａがクリップ９の端末挿入溝９ｆに挿入される。これにより、トリムカバー６はその縁部が内側に折り返された状態で組み付けられ、それとともに端末部材８の平板部８ａがトリムカバー６の縁部６ａに取り付けられている部分が外部から見えなくなる。その結果、トリムカバー６の組付けラインを美しく仕上げることが可能である。
【００８９】
なお、トリムカバー６に引張力が作用し、端末部材８に抜ける方向（図１１における回転力Ｆ２と同一の方向）に力がかかった場合であっても、上述の通り、クリップ９が抜け止めされ、回転が止まることで、端末部材８の平板部８ａがクリップ９の端末挿入溝９ｆとともに回転して抜けるおそれがない。また、バックボード７の段差部７ｃに端末部材８の柱状部８ｂが当接することでも、抜け防止となる。このように、端末部材８の平板部８ａの抜けにくい構造なので、クリップ９の端末挿入溝９ｆには平板部８ａの抜け止めのための「返し」または突起などが不要になり、それによって、平板部８ａを端末挿入溝９ｆに挿入しやすくなる。
【００９０】
（１３）
本実施形態のシート１では、端末部材８は、平板部８ａの縁に沿って設けられた柱状部８ｂをさらに有している。柱状部８ｂは、曲面で構成された周面を有している。柱状部８ｂは、トリムカバー６の縁部６ａが折り返された部分の内側から当該縁部６ａに当接して当該縁部６ａの形状を保持する。
【００９１】
この構成では、端末部材８の柱状部８ｂは、曲面で構成された周面を有し、柱状部８ｂはトリムカバー６の縁部６ａが折り返された部分の内側から当該縁部６ａに当接して当該縁部６ａの形状を保持する。すなわち、トリムカバー６の縁部６ａを柱状部８ｂに巻きかけた状態で保持することが可能である。これにより、トリムカバー６の縁部６ａの折り返された部分を曲面が構成するようにきれいな外観を維持しながら、トリムカバー６の縁部６ａをバックボード７の縁部７ｂに隙間なく固定することが可能になる。
【００９２】
（１４）
本実施形態のシート１では、端末部材８およびクリップ９は、互いに着脱可能な構成を有している。そのため、端末部材８をクリップ９に着脱可能に連結することによってトリムカバー６の縁部６ａをバックボード７の縁部７ｂに容易に固定することが可能である。しかも、端末部材８およびクリップ９の連結を解除することによってトリムカバー６を容易に取り外すことが可能であるので、トリムカバー６の交換も容易になる。
【００９３】
（変形例）
（Ａ）
上記実施形態では、バックボード７の縁部７ｂに複数の開口７ｄが形成され、各開口７ｄに連結部材としてのクリップ９を挿入して取り付けている例が示されているが、本発明はこれに限定されるものではなく、本発明の変形例として、図１２〜１６に示されるように、クリップ９のボード側係合部９ａがバックボード７の縁部７ｂ全体を覆うような構成であってもよい。
【００９４】
具体的には、図１２〜１６に示されるクリップ９は、上記の図５のクリップ９と比較して、ボード挿入溝９ｃがバックボード７の縁部７ｂ全体を収容可能な長さを有し、一方、当該長さを確保するためにベース部９ｈを無くした構成を有している。その他の点では、図１２〜１６に示されるクリップ９は、図５のクリップ９と共通の構成を有しているので、説明を省略する。
【００９５】
図１２〜１６に示されるクリップ９では、ボード挿入溝９ｃがバックボード７の縁部７ｂ全体を収容可能な長さを有しており、クリップ９のボード側係合部９ａがバックボード７の縁部７ｂ全体を覆うことが可能である。すなわち、ボード側係合部９ａのボード挿入溝９ｃにバックボード７の縁部７ｂ全体が収納され、その状態で、当該縁部７ｂおよび段差部７ｃによって形成されたコーナー部７ｅがＬ字状の保持部９ｄで保持される。そのため、クリップ９が縁部７ｂ全体およびコーナー部７ｅを保持する効果が高く、バックボード７の形状保持効果が高い。また、この構成では、バックボード７に開口を形成する必要がなく、バックボード７の構成が簡単になる。それとともに、図１２に示されるように、クリップ９をバックボード７の全周の縁部７ｂうちの任意の位置に取り付けることが可能であり、トリムカバー６を最適な張り状態で組み付けることが可能になる。
【００９６】
また、上記の図１２〜１６に示されるクリップ９においても、上記の開口７ｄに起因する効果を除けば、上記の図１〜１１に示される実施形態の構成と同様の作用効果、すなわち、上記（本実施形態の特徴）の（６）を除く（１）〜（１２）に記載された作用効果を奏することが可能である。
【００９７】
（Ｂ）
また、上記実施形態では、端末部材８およびクリップ９が互いに着脱可能な構成を有する例が示されているが、本発明はこれに限定されるものではなく、端末部材および連結部材が互いに着脱可能であれば他の構成であってもよい。
【００９８】
例えば、本発明の他の変形例として、図１９〜２１に示されるように、互いに着脱可能な雌ホック１１および雄ホック１２からなるボタン式ホックを用いて、端末部材および連結部材が互いに着脱可能な構成にしてもよい。
【００９９】
すなわち、この変形例では、端末部材として、上記の端末部材８に雌ホック１１が取り付けられたものが用いられ、連結部材として、バックボード７の縁部７ｂに取り付けられた雄ホック１２が用いられる。なお、雌ホック１１および雄ホック１２を逆の配置にしてもよい。なお、上記の構成に対応して、図１８に示されるように、端末部材８の平板部８ａには、貫通孔８ｃが形成されている。
【０１００】
この変形例では、端末部材８の平板部８ａは、図１７および図１９に示されるように、柱状部８ｂと反対側の端部でトリムカバー６の縁部６ａに対して縫着部１０で縫い付けられている。この状態では、平板部８ａは、貫通孔８ｃとトリムカバー６に形成された貫通孔６ｃとが重なり合うように配置されている。雌ホック１１は、受け部１１ａと、軸部１１ｂとを有する。雌ホック１１は、軸部１１ｂが平板部８ａおよびトリムカバー６の貫通孔８ｃ、６ｃに挿入された状態でかしめによって当該平板部８ａおよびトリムカバー６に固定される。このとき、受け部１１ａは、トリムカバー６において平板部８ａと反対側に配置される。
【０１０１】
一方、バックボード７の縁部７ｂには、凹部７ｆが形成されている。さらに、凹部７ｆの底面には、貫通孔７ｇが形成されている。雄ホック１２は、凸部１２ａと、軸部１２ｂとを有する。雄ホック１２は、軸部１２ｂがバックボード７の凹部７ｆの底面の貫通孔７ｇに挿入された状態でかしめによって当該底面に固定される。このとき、凸部１２ａは、バックボード７において凹部７ｆの内側に配置される。
【０１０２】
この変形例では、トリムカバー６をバックボード７に固定する場合、図２０〜２１に示されるように、トリムカバー６の縁部６ａを、端末部材８の球面を有する柱状部８ｂを起点に折返し、雌ホック１１を、取付後に外部から見えない位置になるようにバックボード７側の雄ホック１２に係止させる。具体的には、雌ホック１１の受け部１１ａと雄ホック１２の凸部１２ａとを係合することによって、トリムカバー６の縁部６ａはバックボード７の縁部７ｂに固定することが可能である。
【０１０３】
図２１に示されるトリムカバー６の組付後の状態では、トリムカバー６および端末部材８が雌ホック１１および雄ホック１２を介してバックボード７に拘束されているので、トリムカバー６が引っ張られても、トリムカバー６がバックボード７に対してずれるおそれが低減する。そのため、バックボード７とトリムカバー６との合わせ目（具体的には、バックボード７の段差部７ｃとトリムカバー６の折返し部分６ｂの合わせ目）を隙間なくきれいに処理することが可能になる。しかも、雌ホック１１および雄ホック１２がトリムカバー６の内側に位置するので、外部から視認できない。
【０１０４】
以上のように、図１９〜２１に示される変形例では、端末部材として、上記の端末部材８に雌ホック１１が取り付けられたものが用いられ、連結部材として、バックボード７の縁部７ｂに取り付けられた雄ホック１２が用いられ、端末部材（端末部材８および雌ホック１１）および連結部材（雄ホック１２）が互いに着脱可能な構成を有する。この構成により、端末部材を構成する雌ホック１１および連結部材を構成する雄ホック１２を着脱可能に連結することによってトリムカバー６の縁部６ａをバックボード７の縁部７ｂに容易に固定することが可能である。しかも、当該雌ホック１１および雄ホック１２の連結を解除することによってトリムカバー６を容易に取り外すことが可能であるので、トリムカバー６の交換も容易になる。
【０１０５】
また、上記の図１８〜２１に示される変形例においても、上記（本実施形態の特徴）の（１）に記載された作用効果と同様の作用効果を奏することが可能である。すなわち、図１８〜２１に示される変形例においても、端末部材８が雌ホック１１および雄ホック１２と共にトリムカバー６によって外部から覆われた状態で、雌ホック１１が雄ホック１２に連結されることによって、トリムカバー６の縁部６ａがバックボード７の縁部７ｂに固定されている。このようにトリムカバー６がバックボード７に固定された状態では、トリムカバー６をバックボード７に取り付けるための取付部分である端末部材（端末部材８、雌ホック１１）および連結部材（雄ホック１２）が外部から見えなくなるので、シート１の外観が向上する。これにより、軟質のバックボード７の形状を維持し、トリムカバー６を外観よく組み付けることが可能になる。また、トリムカバー６の縁部６ａに取り付けられた端末部材８に固定された雌ホック１１を雄ホック１２に連結するだけでよいので、トリムカバー６の縁部６ａをバックボード７の縁部７ｂに縫い付ける作業も不要になる。
【０１０６】
（Ｃ）
なお、端末部材および連結部材が互いに着脱可能な構成を実現するその他の構成としては、上記（Ｂ）のボタン式のホック（雌ホック１１および雄ホック１２）の構成以外にも、面ファスナーや磁石などを有する構成も採用可能である。
【０１０７】
（Ｄ）
上記実施形態では、図５に示されるように連結部材としてのクリップ９のボード側係合部９ａは、バックボード７の縁部７ｂを挿入して当該縁部７ｂを保持可能なボード挿入溝９ｃを有するが、本発明はこれに限定されるものではなく、これと逆の構成、すなわち、ボード側係合部９ａに突起が設けられ、バックボード７の縁部７ｂに当該突起が挿入される溝または凹部が形成されてもよい。この場合も、クリップ９のボード側係合部９ａはバックボード７の縁部７ｂに着脱自在に係合することが可能である。
【０１０８】
（Ｅ）
上記実施形態では、図５に示されるように連結部材としてのクリップ９は、端末挿入溝９ｆを有し、端末部材８の平板部８ａが端末挿入溝９ｆに挿入することによって端末部材８を保持可能な構成を有しているが、本発明はこれに限定されるものではなく、これと逆の構成、すなわち、クリップ９に平板部または突起が設けられ、端末部材８に当該平板部または突起が挿入される凹部または溝が形成されてもよい。この場合も、クリップ９は、端末部材８を保持することが可能である。
【符号の説明】
【０１０９】
１  シート
２  シートクッション
３  シートバック
５  シートパッド
６  トリムカバー
６ａ  縁部
７  バックボード
７ａ  本体部
７ｂ  縁部
７ｃ  段差部
７ｄ  開口
７ｅ  コーナー部
８  端末部材
９  クリップ（連結部材）
９ａ  ボード側係合部
９ｂ  端末側係合部
９ｃ  ボード挿入溝
９ｄ  保持部
９ｅ  抜け止め部
９ｆ  端末挿入溝
９ｇ  入口
１０  縫着部
１１  雌ホック
１２  雄ホック
【図１】
2020203565.tif 000003
【図２】
2020203565.tif 000004
【図３】
2020203565.tif 000005
【図４】
2020203565.tif 000006
【図５】
2020203565.tif 000007
【図６】
2020203565.tif 000008
【図７】
2020203565.tif 000009
【図８】
2020203565.tif 000010
【図９】
2020203565.tif 000011
【図１０】
2020203565.tif 000012
【図１１】
2020203565.tif 000013
【図１２】
2020203565.tif 000014
【図１３】
2020203565.tif 000015
【図１４】
2020203565.tif 000016
【図１５】
2020203565.tif 000017
【図１６】
2020203565.tif 000018
【図１７】
2020203565.tif 000019
【図１８】
2020203565.tif 000020
【図１９】
2020203565.tif 000021
【図２０】
2020203565.tif 000022
【図２１】
2020203565.tif 000023